(57)【要約】【課題】  鍵情報の生成に本来の通信機能を利用可能な、しかも、装置間の固定、移動などを条件としないで鍵情報を生成できる鍵生成方法を提供する。【解決手段】  本発明の鍵生成方法では、２つの無線通信装置及び無線通信装置間で、同一のキャリア周波数のディジタル変調信号を授受し合う。各無線通信装置はそれぞれ、ディジタル変調信号を直交復調し、その直交復調結果に係る星座の特徴情報を抽出し、抽出した星座特徴情報に基づいて、暗号化で用いる鍵情報を生成する。これにより、２つの無線通信装置は同一の鍵情報を共有する。【選択図】      図１
2010056917.tif 000002
【特許請求の範囲】
【請求項１】
第１の無線通信装置及び第２の無線通信装置間で、同一のキャリア周波数のディジタル変調信号を授受し合い、
上記第１の無線通信装置及び上記第２の無線通信装置がそれぞれ、ディジタル変調信号を直交復調し、その直交復調結果に係る星座の特徴情報を抽出し、抽出した星座特徴情報に基づいて、暗号化で用いる鍵情報を生成し、
上記第１の無線通信装置及び上記第２の無線通信装置が同一の鍵情報を共有する
ことを特徴とする鍵生成方法。
【請求項２】
キャリア周波数が異なる複数のディジタル変調信号の重畳信号を、上記第１の無線通信装置及び上記第２の無線通信装置間で授受し合い、キャリア周波数毎に星座特徴情報を抽出して、鍵情報の生成に利用することを特徴とする請求項１に記載の鍵生成方法。
【請求項３】
上記星座特徴情報が位相回転量であることを特徴とする請求項１又は２に記載の鍵生成方法。
【請求項４】
対向する無線通信装置との間で暗号化通信を実行する無線通信装置において、
対向する無線通信装置から到来したディジタル変調信号を直交復調するディジタル復調手段と、
その直交復調結果に係る星座の特徴情報を抽出する星座分析手段と、
抽出された星座特徴情報に基づいて、暗号化の鍵情報を生成して保持する鍵情報生成・記憶手段と
を備えることを特徴とする無線通信装置。
【請求項５】
請求項４に記載の無線通信装置を２つ有し、
これら２つの無線通信装置間で、同一のキャリア周波数のディジタル変調信号を授受し合い、これら２つの無線通信装置が同一の鍵情報を共有する
ことを特徴とする無線通信システム。
【発明の詳細な説明】
【技術分野】
【０００１】
本発明は無線通信システム、無線通信装置及び鍵生成方法に関し、例えば、暗号通信を適用している無線ＬＡＮに適用し得るものである。
【背景技術】
【０００２】
従来、無線通信においては、他の無線局からの盗聴の危険性がある。そのための対策としてなんらかの鍵を用いて暗号化する方法が一般的である。
【０００３】
しかしながら、その鍵は通信を行う者同士で事前に知っておかなければならない。その鍵を無線通信で渡す場合には、そこで鍵自体が盗聴される可能性がある。鍵を無線通信以外、例えば、有線通信などでやりとりする方法も考えられるが、通信経路を２つ確保しておかなければならず、現実的ではない。また、定期的に乱数を発生させるモジュールを、通信機を使用する者が持っておき、それを入力する方法などもあるが、両通信機の双方に入力しなければならず、現実的ではない。以上のように鍵の生成や鍵の授受に関しては、多くの方法があるものの、それぞれ課題がある。
【０００４】
上述のような課題を解決するため、鍵を授受することなく、双方の通信機がそれぞれ独立に、無線伝搬路の特性を用いて同じ鍵を生成できるようにした方法が、特許文献１や特許文献２で提案されている。
【０００５】
これらの文献で開示されている方法は、以下の着想に基づいている。ある通信機（通信機Ａとする）から見た場合、他の通信機（通信機Ｂ〜Ｄとする）は、その設置場所毎に異なる状況の伝搬路を介して無線通信を実行するものである。つまり、通信機Ａから通信機Ｂへの伝搬路特性と、通信機Ａから通信機Ｃへの伝搬路特性は異なる。一方、通信機Ａと通信機Ｂとが通信を行う伝送路は、同じ周波数で周囲の環境が変わらないのであれば、同じになる。すなわち、通信機Ａから通信機Ｂへの伝搬路特性と、通信機Ｂから通信機Ａへの伝搬路特性は同じである。
【０００６】
すなわち、伝搬路特性を鍵になるような数値化ができれば、別な手段で鍵を授受することなく、通信したい相手とのみ同じ鍵を共有することができる。
【０００７】
特許文献１は、鍵の生成に利用できる伝搬路の特性を、通信アンテナの指向性を回転させながら測定した電界強度とすることを開示している。また、特許文献２は、鍵の生成に利用できる伝搬路の特性として、フエージングパターンを用いることを記載している。
【特許文献１】特開２００５−３３３４３８号公報
【特許文献２】特開２００６−２２２８１７号公報
【発明の開示】
【発明が解決しようとする課題】
【０００８】
特許文献１の記載技術では、アンテナの指向性を回転させる機能など、本来、通信機として持つ以上の機能を備えておく必要があり、実用的でないという課題がある。
【０００９】
また、特許文献２の記載技術では、鍵の生成に利用するフェージングは移動しないと変動しないため、固定局間での通信や、鍵の生成が必要なときに位置が固定している移動局間での通信には利用できないという課題がある。
【００１０】
そのため、鍵情報の生成に本来の通信機能を利用可能な、しかも、装置間の固定、移動などを条件としないで鍵情報を生成できる無線通信システム、無線通信装置及び鍵生成方法が望まれている。
【課題を解決するための手段】
【００１１】
第１の本発明の鍵生成方法は、（ａ）第１の無線通信装置及び第２の無線通信装置間で、同一のキャリア周波数のディジタル変調信号を授受し合い、（ｂ）上記第１の無線通信装置及び上記第２の無線通信装置がそれぞれ、ディジタル変調信号を直交復調し、その直交復調結果に係る星座の特徴情報を抽出し、抽出した星座特徴情報に基づいて、暗号化で用いる鍵情報を生成し、（ｃ）上記第１の無線通信装置及び上記第２の無線通信装置が同一の鍵情報を共有することを特徴とする。
【００１２】
第２の本発明は、対向する無線通信装置との間で暗号化通信を実行する無線通信装置において、（ａ）対向する無線通信装置から到来したディジタル変調信号を直交復調するディジタル復調手段と、（ｂ）その直交復調結果に係る星座の特徴情報を抽出する星座分析手段と、（ｃ）抽出された星座特徴情報に基づいて、暗号化の鍵情報を生成して保持する鍵情報生成・記憶手段とを備えることを特徴とする。
【００１３】
第３の本発明の無線通信システムは、第２の本発明の無線通信装置を２つ有し、これら２つの無線通信装置間で、同一のキャリア周波数のディジタル変調信号を授受し合い、これら２つの無線通信装置が同一の鍵情報を共有することを特徴とする。
【発明の効果】
【００１４】
本発明によれば、ディジタル復調結果から得られる星座情報に基づいて、鍵情報を生成するようにしたので、鍵情報の生成に本来の通信機能を利用可能な、しかも、装置間の固定、移動などを条件としないで鍵情報を生成できる無線通信システム、無線通信装置及び鍵生成方法を提供できる。
【発明を実施するための最良の形態】
【００１５】
（Ａ）第１の実施形態
以下、本発明による無線通信システム、無線通信装置及び鍵生成方法の第１の実施形態を、図面を参照しながら説明する。
【００１６】
（Ａ−１）第１の実施形態の構成
図１は、鍵をそれぞれ生成する、対向する２つの無線通信装置（適宜、通信機とも呼ぶ）のうちの一方の構成を示すブロック図である。図１は、鍵の生成に関係する構成部分を取り出して示している。対向する２つの無線通信装置は共に、図１に示す構成を有することを要する。
【００１７】
図１において、無線通信装置１０は、鍵生成用符号発生部１１、ＢＰＳＫ（Ｂｉｎａｒｙ  Ｐｈａｓｅ  Ｓｈｉｆｔ  Ｋｅｙｉｎｇ）変調部１２、ＢＰＳＫ復調部１３、星座分析部１４、鍵生成・記憶部１５、送受切替スイッチ１６、アンテナ１７及び鍵生成制御部２０を有する。
【００１８】
鍵生成用符号発生部１１は、鍵生成制御部２０の指示に従い、鍵生成用のデータ符号を発生させるものである。鍵生成用のデータ符号の符号長は任意であるが、後述する星座分析部１４が、符号「０」及び「１」の星座図での位置を精度良く得られる程度の符号長を有することが好ましい。鍵生成用のデータ符号は、鍵生成に専用のものであっても良いが、フレームシーケンスなどの通常の通信時に用いられる符号を鍵生成用のデータ符号として兼用するようにしても良い。
【００１９】
ＢＰＳＫ変調部１２は、所定周波数のキャリアに対して、鍵生成用のデータ符号によりＢＰＳＫ変調をかけるものである。
【００２０】
送受切替スイッチ１６は、鍵生成制御部２０の制御下で、当該無線通信装置１０が鍵生成のための送信動作を行う際には、アンテナ１７に対してＢＰＳＫ変調部１２を接続させ、当該無線通信装置１０が鍵生成のための受信動作を行う際には、アンテナ１７に対してＢＰＳＫ復調部１３を接続させるものである。
【００２１】
アンテナ１７は送受共用のものであり、送信時には、ＢＰＳＫ変調部１２によってＢＰＳＫ変調されたキャリア（ＢＰＳＫ変調信号）を電磁波として空間に放射し、受信時には、飛来したＢＰＳＫ変調されている電磁波でなるキャリアを捕捉するものである。
【００２２】
ＢＰＳＫ復調部１３は、アンテナ１７が捕捉し、送受切替スイッチ１６を介して与えられた受信信号（ＢＰＳＫ変調信号）をＢＰＳＫ復調するものである。この第１の実施形態の場合、ＢＰＳＫ復調部１３は、受信信号（ＢＰＳＫ変調信号）を、局部発生の直交するキャリアを利用する直交復調で復調する。
【００２３】
星座分析部１４は、受信した信号（符号）の星座（コンスタレーション；ｃｏｎｓｔｅｌｌａｔｉｏｎ）を分析し、星座の特徴を表す情報を得る。星座には、通信に供している２つの通信機間の伝搬路の特性（例えば雑音特性）が反映される。
【００２４】
鍵生成・記憶部１５は、星座分析部１４が得た星座特徴情報をそのまま鍵情報として記憶したり、又は、星座分析部１４が得た星座特徴情報を所定関数や変換アルゴリムへの入力値とし、その関数や変換アルゴリムの出力値を鍵情報として記憶したりする。このようにして記憶された鍵情報が、その後の暗号化通信で利用される。
【００２５】
鍵生成制御部２０は、鍵情報の生成時における全体の流れを、対向する無線機における鍵生成制御部（２０）と協働して制御するものである。２つの無線機の鍵生成制御部２０は、鍵生成用のデータ符号に係るディジタル変調信号（ＢＰＳＫ変調信号）の授受を、双方向について短時間内で時分割に実行させるように各部を制御し、各無線機の鍵生成・記憶部１５に同じ鍵情報が記憶されるようにさせる。
【００２６】
例えば、２つの無線機（無線通信装置）のうち、一方の無線機が無線ＬＡＮのアクセスポイント装置１０−１であって、他方の無線機が無線ＬＡＮ端末１０−２であったとする。無線ＬＡＮ端末１０−２の電源がオフからオンに切り替わり、アクセスポイント装置１０−１が自己の管轄エリア内に無線ＬＡＮ端末１０−２が存在することを認識したとする。このとき、アクセスポイント装置１０−１の鍵生成制御部２０−１と、無線ＬＡＮ端末１０−２の鍵生成制御部２０−２とは、まず、アクセスポイント装置１０−１から無線ＬＡＮ端末１０−２へ鍵生成用のデータ符号に係るＢＰＳＫ変調信号を送信させ、無線ＬＡＮ端末１０−２の鍵生成・記憶部１５−２に鍵情報を記憶させ、その後直ちに、無線ＬＡＮ端末１０−２からアクセスポイント装置１０−１へ鍵生成用のデータ符号に係るＢＰＳＫ変調信号を送信させ、アクセスポイント装置１０−１の鍵生成・記憶部１５−１に鍵情報を記憶させる。
【００２７】
なお、鍵生成制御部２０が、鍵情報の生成処理を起動するタイミングは上述の例に限定されない。
【００２８】
（Ａ−２）第１の実施形態の動作
次に、通信に供する２つの通信機１０−Ａ及び１０−Ｂと、盗聴機１０−Ｃとの位置関係が図２の関係にあった場合における、鍵情報の生成動作を説明する。なお、通信機１０−Ａ及び１０−Ｂだけでなく、盗聴機１０−Ｃも、図１に示す内部構成を有しており（但し、鍵生成制御部による協働制御は実行されない）、また、通信機１０−Ａ及び通信機１０−Ｂの電波を受信できる範囲内に設置されているとする。
【００２９】
今、通信機１０−Ａが、通信機１０−Ｂで鍵情報を生成させるための送信側の通信機になったとする。このとき、通信機１０−Ａにおける鍵生成用符号発生部１１−Ａが鍵生成用のデータ符号を発生させ、ＢＰＳＫ変調部１２−Ａが、所定周波数のキャリアに対して、鍵生成用のデータ符号によりＢＰＳＫ変調をかけ、得られたＢＰＳＫ変調信号が、送受切替スイッチ１６−Ａを介してアンテナ１７−Ａに与えられ、無線空間に放射される。通信機１０−Ａから送信された信号の星座は、図３（Ａ）の星座図に示すように、Ｉ軸上に、符号「０」及び「１」の星座が共に存在するものとなる。
【００３０】
通信機１０−Ｂにおいては、アンテナ１７−Ｂが、通信機１０−Ａから放射されたＢＰＳＫ変調信号を捕捉し、捕捉されたＢＰＳＫ変調信号が、送受切替スイッチ１６−Ｂを介してＢＰＳＫ復調部１３−Ｂに与えられて直交復調された後、星座分析部１４−Ｂにおいて、受信した信号の星座が分析される。この分析で得られる星座には、通信に供している２つの通信機１０−Ａ及び１０−Ｂ間の伝搬路の特性が反映される。例えば、図３（Ｂ）の星座図に示すように、送信側の星座から角度αだけ回転している位置に星座が現れるものとなる。
【００３１】
例えば、この角度αの情報が星座特徴情報として、鍵生成・記憶部１５−Ｂに与えられる。鍵生成・記憶部１５−Ｂは、角度αの情報を量子化し（例えば、−５°以上５°未満を０にし、５°以上１０°未満を１にするように変換する）、量子化した角度の情報をそのまま鍵情報として記憶したり、又は、量子化した角度の情報を所定関数や変換アルゴリムへの入力値とし、その関数や変換アルゴリムの出力値を鍵情報として記憶したりする。なお、角度αの情報を量子化することなく適用するようにしても良い。
【００３２】
盗聴機１０−Ｃにおいても、アンテナ１７−Ｃが、通信機１０−Ａから放射されたＢＰＳＫ変調信号を捕捉し、捕捉されたＢＰＳＫ変調信号が、送受切替スイッチ１６−Ｃを介してＢＰＳＫ復調部１３−Ｃに与えられて直交復調された後、星座分析部１４−Ｃにおいて、受信した信号の星座が分析される。この分析で得られる星座には、通信機１０−Ａ及び盗聴機１０−Ｃ間の伝搬路の特性が反映され、通信機１０−Ａ及び１０−Ｂ間の伝搬路の特性が反映されたものとは異なったものとなる。例えば、図３（Ｃ）の星座図に示すように、送信側の星座から角度β（βはαに等しくない）だけ回転している位置に星座が現れるものとなる。
【００３３】
そのため、角度βの情報に基づいて、鍵生成・記憶部１５−Ｃが鍵情報を生成しても、角度αの情報に基づいて、鍵生成・記憶部１５−Ｂが生成した鍵情報とは異なったものとなる。すなわち、盗聴機１０−Ｃにおいて、鍵情報を盗むことができない。
【００３４】
通信機１０−Ｂにおいては、鍵情報の生成、記憶が終了すると、通信機１０−Ｂが送信側、通信機１０−Ａが受信側に切り替わり、上述の場合と同じキャリア周波数を用いた送信が実行される。この場合も、通信機１０−Ａから通信機１０−Ｂへの送信のときの伝搬路を逆に伝搬していくので、通信機１０−Ａの星座分析部１４−Ａにおいて、送信側の星座から角度αだけ回転している位置に星座が現れるという分析結果が得られ、鍵生成・記憶部１５−Ａによって、鍵生成・記憶部１５−Ｂが得た上述した鍵情報と同じ鍵情報が生成され、記憶される。
【００３５】
以上のようにして、通信機１０−Ａ及び通信機１０−Ｂが同じ鍵情報を所有し、その後の暗号化通信が可能となる。
【００３６】
（Ａ−３）第１の実施形態の効果
第１の実施形態によれば、２つの通信機が、伝搬路特性が反映された星座特徴情報（位相回転情報）を用いて鍵情報を生成するようにしたので、盗聴機に知りえない鍵情報を通信機間で共有することができる。
【００３７】
しかも、既存の通信構成を鍵情報の生成にそのまま適用でき、鍵情報の生成のための新たな付加回路を不要にでき、若しくは、ごく僅かに抑えることができる。
【００３８】
さらに、鍵情報を共有しようとする２つの通信機が、固定していても、また、伝搬特性に変化がない程度の移動速度で相対的に移動していても、上述した鍵情報の生成方法を適用できる。
【００３９】
（Ｂ）第２の実施形態
次に、本発明による無線通信システム、無線通信装置及び鍵生成方法の第２の実施形態を、図面を参照しながら説明する。
【００４０】
図４は、第２の実施形態の無線通信装置（適宜、通信機とも呼ぶ）における鍵の生成に関係する構成部分を取り出して示すブロック図であり、第１の実施形態に係る図１との同一、対応部分には同一符号を付して示している。
【００４１】
図１及び図４の比較から明らかなように、第２の実施形態の無線通信装置３０は、第１の実施形態の無線通信装置１０におけるＢＰＳＫ変調部１２に代えてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調部３１を適用すると共に、第１の実施形態の無線通信装置１０におけるＢＰＳＫ復調部１３に代えてＯＦＤＭ復調部３２を適用したものである。ＯＦＤＭ方式は、市販の無線ＬＡＮなどで用いられているマルチキャリアの一般的な変調方式である。
【００４２】
第２の実施形態の場合、鍵情報を生成させるための送信側の通信機（符号を３０−Ａとする）においては、ＯＦＤＭ変調部３１−Ａが、鍵生成用符号発生部１１−Ａが発生させた鍵生成用のデータ符号に基づいて、ＯＦＤＭ変調を行う。一方、受信側の通信機（符号を３０−Ｂとする）においては、ＯＦＤＭ復調部３２−ＢがＯＦＤＭ復調を行う。
【００４３】
ここで、ＯＦＤＭ変調信号は、周波数（サブキャリア）が異なる複数のＢＰＳＫ変調信号の重畳信号であるものとする。ＯＦＤＭ復調部３２−Ｂは、サブキャリア毎のＢＰＳＫ変調信号をそれぞれ直交復調する。
【００４４】
星座分析部１４−Ｂは、サブキャリア毎の直交復調結果に基づき、サブキャリア毎の星座特徴情報を得る。例えば、第１の実施形態で説明した方法によって、サブキャリア毎の角度（位相回転量）α（１）、α（２）、…、α（ｎ）を得る（但し、ｎはサブキャリア数）。ここで、角度の情報は上述したように量子化したものであっても良い。鍵生成・記憶部１５−Ｂは、サブキャリア毎の角度の系列α（１）、α（２）、…、α（ｎ）を鍵情報とし、若しくは、サブキャリア毎の角度の系列α（１）、α（２）、…、α（ｎ）を適用して鍵情報を生成し、記憶する。
【００４５】
逆に、他方の通信機３０−Ａにおいて、鍵情報を生成させる場合には、第１の実施形態の場合と同様に、通信機３０−Ｂから通信機３０−ＡへＯＦＤＭ変調信号を送信させるようにすれば良い。
【００４６】
周知のように、暗号化は、鍵情報を元に、対象データを数値演算することで行われる。ある程度の数値列を用いた鍵情報の方が、暗号化を破られる確率が低くなる。
【００４７】
第２の実施形態によれば、ＯＦＤＭ変調方式を利用し、各サブキャリアの星座特徴情報を、鍵情報の生成に利用するようにしたので、第１の実施形態以上に、盗まれることに対する耐性が強い鍵情報を生成でき、暗号化を破られる確率を一段と低くすることができる。
【００４８】
第２の実施形態で利用しているディジタル変調方式も、無線ＬＡＮで多用されているＯＦＤＭ変調方式であるので、既存の通信構成を鍵情報の生成にそのまま適用でき、鍵情報の生成のための新たな付加回路を不要にでき、若しくは、ごく僅かに抑えることができる。
【００４９】
さらに、鍵情報を共有しようとする２つの通信機が、固定していても、また、伝搬特性に変化がない程度の移動速度で相対的に移動していても、第２の実施形態の鍵情報の生成方法を適用できることは、第１の実施形態の場合と同様である。
【００５０】
（Ｃ）他の実施形態
第１の実施形態においては、ディジタル変調方式がＢＰＳＫ変調方式であるものを示し、第２の実施形態においては、ディジタル変調方式が、サブキャリア毎の変調方式がＢＰＳＫ変調方式であるＯＦＤＭ変調方式を示したが、伝搬路の特性が星座情報に表れる他のディジタル変調方式を適用するようにしても良い。
【００５１】
例えば、ＱＰＳＫ（Ｑｕａｄｒｉ  ＰＳＫ）変調方式を、第１の実施形態のＢＰＳＫ変調方式に代えて適用するようにしても良い。また例えば、サブキャリア毎の変調方式として、ＱＰＳＫ変調方式を適用したＯＦＤＭ変調方式を、第２の実施形態の変調方式に代えて適用するようにしても良い。
【００５２】
第１の実施形態では、星座特徴情報が、Ｉ軸との角度（位相回転量）であるものを示したが、他の値を用いるようにしても良い。例えば、Ｉ軸及びＱ軸の交点を起点とし、符号位置を終点としたベクトルを星座特徴情報とし、鍵情報の生成に利用するようにしても良い。第２の実施形態についても同様である。
【００５３】
第２の実施形態では、ＯＦＤＭ変調方式を適用することで、キャリア周波数（サブキャリア周波数）が異なる通信を同時に行うものを示したが、キャリア周波数の可変機能を有する通信機であれば、時分割で、キャリア周波数が異なる通信を行って、キャリア周波数毎の星座特徴情報を得て、鍵情報の生成に利用するようにしても良い。
【図面の簡単な説明】
【００５４】
【図１】第１の実施形態の無線通信装置における鍵の生成に関係する構成部分を示すブロック図である。
【図２】第１の実施形態の無線通信装置（無線機）と盗聴機の位置関係例を示す説明図である。
【図３】図２における送信無線機、受信無線機及び盗聴機での星座を示す星座図である。
【図４】第２の実施形態の無線通信装置における鍵の生成に関係する構成部分を示すブロック図である。
【符号の説明】
【００５５】
１０、３０…無線通信装置、１１…鍵生成用符号発生部、１２…ＢＰＳＫ変調部、１３…ＢＰＳＫ復調部、１４…星座分析部、１５…鍵生成・記憶部、１６…送受切替スイッチ、１７…アンテナ、２０…鍵生成制御部、３１…ＯＦＤＭ変調部、３２…ＯＦＤＭ復調部。
【図１】
2010056917.tif 000003
【図２】
2010056917.tif 000004
【図３】
2010056917.tif 000005
【図４】
2010056917.tif 000006